(57)【要約】【課題】塗布体が前進し前進限に達した際に生じる当接音を抑制する。【解決手段】蓋体２を容器本体１から取り外し、蓋体２の移動体１４及び塗布体３を弾性体８により蓋体装着時の位置より前進させ、蓋体２に設けられ径方向内側に張り出す蓋体側の段部５ｚに向かって移動体側の段部９ｚを移動させる。蓋体側の段部５ｚに、段部５ｚを形成する段差面に径方向内側に行くに従い下方に傾斜する下り勾配の傾斜部５ｐを設け、移動体側の段部９ｚを前進させ、移動体側の段部９ｚと傾斜部５ｐの傾斜面とを突き当て塗布体３を前進限に到達させる。ここで、段部９ｚの角部と傾斜面とが突き当たる線接触は、段部同士の面接触に比し接触面積が減り当接音を低減できる。また、段部９ｚの角部が傾斜面に突き当たると、鉛直方向へ向かう当接力は傾斜方向の力と傾斜面を垂直に押す力とに分力されて小となり当接音を一層低減できる。【選択図】図３
2019037625.tif 000002
【特許請求の範囲】
【請求項１】
内部に化粧料を備えた容器本体と、
前記容器本体の上部に着脱可能に装着された蓋体と、
前記化粧料を塗布するための塗布体と、
前記塗布体を保持すると共に前記蓋体に対して上下方向に移動可能に支持された移動体と、
前記蓋体と前記移動体との間に挟まれ前記移動体を容器本体側へ付勢する弾性体と、を備え、
前記蓋体は、その下端側に設けられ径方向内側に張り出す蓋体側の段部を有し、
前記移動体は、前記蓋体側の段部に上下方向に離間し対向する移動体側の段部を有し、
前記蓋体側の段部又は前記移動体側の段部の何れか一方には、前記段部を形成する段差面に、径方向内側に行くに従い下方に傾斜する下り勾配の傾斜部が設けられ、
前記容器本体から前記蓋体が取り外されると、前記塗布体及び前記移動体は前記弾性体により蓋体装着時の位置より前進し、
前記蓋体側の段部又は前記移動体側の段部の他方と前記傾斜部の傾斜面とが突き当たり、前記塗布体の前進限となることを特徴とする化粧料容器。
【請求項２】
一端が閉じられた筒状に構成されて筒壁に第１の螺合部が設けられ、化粧料を備えた容器本体と、一端が閉じられた筒状に構成されて筒壁に前記第１の螺合部に螺合可能な第２の螺合部が設けられ、塗布体を備えた蓋体と、を具備し、前記第１、第２の螺合部同士が螺合することにより前記容器本体に前記蓋体が着脱可能に装着される化粧料容器であって、
前記蓋体は、
前記第２の螺合部が設けられると共に、前記塗布体を案内するための案内部が設けられた継ぎ具と、
前記継ぎ具に対して軸線方向に移動不能且つ軸線周りに回転可能とされ使用者により回転操作される把持部と、
前記継ぎ具の下端側に設けられ径方向内側に張り出す蓋体側の段部と、
前記塗布体と一体となり、前記把持部に対して軸線方向に移動可能且つ軸線周りに同期回転可能とされたスリーブ部、及び、前記スリーブ部と同期回転し、前記把持部の回転により前記案内部に案内される被案内部が設けられ軸線方向に移動するストッパ部を有する移動体と、
前記スリーブ部の外周に設けられ前記蓋体側の段部に軸線方向に離間し対向する移動体側の段部と、
前記把持部と前記スリーブ部との間に挟まれ前記スリーブを前記容器本体側へ付勢する弾性体と、を備え、
前記蓋体側の段部又は前記移動体側の段部の何れか一方には、前記段部を形成する段差面に、径方向内側に行くに従い下方に傾斜する下り勾配の傾斜部が設けられ、
前記容器本体に前記蓋体が装着されている際は、前記ストッパ部及び前記スリーブ部、前記塗布体が後退限まで引き戻されて前記化粧料と前記塗布体とが離間し、
前記容器本体に対して前記蓋体が取り外し方向に回転操作されると、前記ストッパ部の前記被案内部が前記継ぎ具の前記案内部に案内され前記ストッパ部及び前記スリーブ部、前記塗布体が前記容器本体側へ移動して前記化粧料と前記塗布体とが接触し、同方向の回転操作が続けられると、前記把持部と前記継ぎ具が一体となり前記第１、第２の螺合部の螺合作用が働いて前記容器本体から前記蓋体が取り外されると共に、前記弾性体により前記スリーブ部が前記後退限とは他方向の前進限へ付勢され、前記蓋体側の段部又は前記移動体側の段部の他方と前記傾斜部の傾斜面とが突き当たり、前記塗布体が前進限となり、
前記容器本体に対して前記蓋体が装着方向に回転操作されると、前記第１、第２の螺合部の螺合作用が働いて前記容器本体に前記蓋体が装着され、前記第１、第２の螺合部の螺合作用が停止すると、前記把持部と前記継ぎ具が回転可能となり前記ストッパ部の前記被案内部が前記継ぎ具の前記案内部に案内され前記ストッパ部及び前記スリーブ部、前記塗布体が前記後退限まで引き戻されて前記化粧料と前記塗布体とが離間する化粧料容器。
【請求項３】
前記傾斜部は、前記蓋体側の段部の段差面に設けられ、径方向内側に行くに従い下方に傾斜する下り勾配であり、
前進する前記移動体側の段部と、前記傾斜部の傾斜面とが突き当たり、前記塗布体の前進限となることを特徴とする請求項１又は２記載の化粧料容器。
【請求項４】
前記傾斜部は、前記移動体側の段部の段差面に設けられ、径方向内側に行くに従い下方に傾斜する下り勾配であり、
前記蓋体側の段部と、前進する前記傾斜部の傾斜面とが突き当たり、前記塗布体の前進限となることを特徴とする請求項１又は２記載の化粧料容器。
【請求項５】
前記傾斜部は、前記段部の周方向に沿って複数個が離間して設けられていることを特徴とする請求項１〜４の何れか一項に記載の化粧料容器。
【請求項６】
前記傾斜部は、前記段部の周方向に沿って連なるように環状に設けられていることを特徴とする請求項１〜４の何れか一項に記載の化粧料容器。
【発明の詳細な説明】
【技術分野】
【０００１】
本発明は、化粧料容器に関する。
【背景技術】
【０００２】
従来、以下の特許文献１のように、容器本体に蓋体が着脱可能に装着されると共に、蓋体に塗布体が設けられた化粧料容器が知られている。この化粧料容器は、内部に化粧料を備えた容器本体と、容器本体の上部に螺合により着脱可能に装着される蓋体と、蓋体に軸線方向に移動可能に設けられ化粧料を塗布するための塗布体と、塗布体を保持すると共に蓋体に対して上下方向に移動可能とされた移動体としてのスリーブ部と、蓋体とスリーブ部との間に挟まれスリーブ部を容器本体側へ付勢する弾性体としてのコイルバネと、を備えている。そして、容器本体に対する蓋体装着時には、塗布体と化粧料は離間しており、容器本体に対する蓋体の取り外し操作に連動して塗布体が容器本体側へ前進し、塗布体に化粧料が当接して化粧料が付着する。この化粧料が付着した塗布体の使用により、被塗布部に化粧料を塗布できるようになっている。また、使用後は、容器本体に対する蓋体の装着操作に連動して蓋体が容器本体に装着されると共に、塗布体が上部（容器本体とは反対側）へ後退して塗布体と化粧料とが離間し、未使用時の塗布体の潰れを防止できるようになっている。
【０００３】
ここで、蓋体は、使用者により回転操作される有底円筒状の把持部と、把持部に対して軸線周りに同期回転可能且つ軸線方向に移動可能とされた円筒状の継ぎ具と、を備え、継ぎ具の下端部には、径方向内側に円環状に張り出す鍔状の段部が、蓋体側の段部として設けられる。一方、スリーブ部の軸線方向途中の外周面には、径方向外側に円環状に張り出すと共に蓋体側の段部に上下方向に離間して対向する鍔状の段部が、移動体側の段部として設けられている。
【０００４】
そして、この化粧料容器では、容器本体から蓋体が取り外される使用時にあっては、塗布体及びスリーブ部は、容器本体の化粧料に当接していた蓋体装着時の位置より、コイルバネの付勢力により、さらに前方に設定された前進限へ移動する。ここで、引用文献１にあっては、具体的な記載はないが、引用文献１の図２に示されるように、前進する移動体側（スリーブ部）の段部が、蓋体側（継ぎ具）のストッパとしての段部に当接し、これにより、塗布体及びスリーブ部が前進限に達し、この状態で、塗布体による被塗布部に対する塗布が行われる。
【先行技術文献】
【特許文献】
【０００５】
【特許文献１】特開２０１６−２２２６０号公報
【発明の概要】
【発明が解決しようとする課題】
【０００６】
ここで、上記化粧料容器にあっては、蓋体側の段部に移動体側の段部が当接し塗布体が前進限の位置に達した状態で、塗布体を使用者の例えば顔等の被塗布部に軽く当て叩くようにして化粧料を施すようになっている。ところが、塗布体により顔等の被塗布部を叩くと、塗布体及びスリーブ部は、コイルバネの付勢力に抗して前進限から一旦後退するが、直ぐにコイルバネの付勢力により前進限へ押し戻され、使用中は、塗布体の後退／前進が繰り返される。このように塗布体が後退／前進を繰り返すと、蓋体側と移動体側の段部同士が当接する「カチャ」という当接音が繰り返し発生し、気にする使用者が散見され、当接音の低減が求められている。
【０００７】
そこで、本発明は、前進限にある塗布体を被塗布部に例えば叩くようにして押し当てて被塗布部に化粧を施す化粧料容器であって塗布の最中に塗布体が前進限から後退し弾性体により前進限へ押し戻される化粧料容器において、塗布体が前進し前進限に達した際に生じる当接音を、低減し抑制できる化粧料容器を提供することを目的としている。
【課題を解決するための手段】
【０００８】
本発明による化粧料容器は、内部に化粧料を備えた容器本体と、容器本体の上部に着脱可能に装着された蓋体と、化粧料を塗布するための塗布体と、塗布体を保持すると共に蓋体に対して上下方向に移動可能に支持された移動体と、蓋体と移動体との間に挟まれ移動体を容器本体側へ付勢する弾性体と、を備え、蓋体は、その下端側に設けられ径方向内側に張り出す蓋体側の段部を有し、移動体は、蓋体側の段部に上下方向に離間し対向する移動体側の段部を有し、蓋体側の段部又は移動体側の段部の何れか一方には、段部を形成する段差面に、径方向内側に行くに従い下方に傾斜する下り勾配の傾斜部が設けられ、容器本体から蓋体が取り外されると、塗布体及び移動体は弾性体により蓋体装着時の位置より前進し、蓋体側の段部又は移動体側の段部の他方と傾斜部の傾斜面とが突き当たり、塗布体の前進限となることを特徴としている。
【０００９】
このような化粧料容器によれば、蓋体は容器本体から取り外されると、蓋体の移動体及び塗布体は弾性体によって蓋体装着時の位置より前進し、蓋体の下端側に設けられ径方向内側に張り出す蓋体側の段部に向かって、蓋体側の段部に対して上下方向に離間し対向する移動体側の段部が移動する。蓋体側の段部又は移動体側の段部の何れか一方には、段部を形成する段差面に、径方向内側に行くに従い下方に傾斜する下り勾配の傾斜部が設けられている。このため、移動体側の段部が前進すると、蓋体側の段部又は移動体側の段部の他方と傾斜部の傾斜面とが突き当たり、塗布体が前進限に達し塗布に供することができる。ここで、段部の角部と傾斜面とが突き当たる線接触は、従来技術で説明した段部同士の面接触に比して接触面積が減るため、当接音を低減できる。加えて、段部の角部が傾斜面に突き当たると、段部の角部が傾斜面に当接し鉛直方向へ向かう当接力は、傾斜面に沿う傾斜方向の力と傾斜面を垂直に押す力に分力されて当該傾斜面を垂直に押す力は小さくなり、従来技術のような段部が相手側の段部を垂直に押す場合よりも小さくなって、当接音を一層低減できる。このため、当接音を抑制できる。因みに、傾斜面は急勾配（急峻）であればあるほど、傾斜面を垂直に押す力を低減でき、当接音を一層抑制できる。
【００１０】
また、本発明による化粧料容器は、一端が閉じられた筒状に構成されて筒壁に第１の螺合部が設けられ、化粧料を備えた容器本体と、一端が閉じられた筒状に構成されて筒壁に第１の螺合部に螺合可能な第２の螺合部が設けられ、塗布体を備えた蓋体と、を具備し、第１、第２の螺合部同士が螺合することにより容器本体に蓋体が着脱可能に装着される化粧料容器であって、蓋体は、第２の螺合部が設けられると共に、塗布体を案内するための案内部が設けられた継ぎ具と、継ぎ具に対して軸線方向に移動不能且つ軸線周りに回転可能とされ使用者により回転操作される把持部と、継ぎ具の下端側に設けられ径方向内側に張り出す蓋体側の段部と、塗布体と一体となり、把持部に対して軸線方向に移動可能且つ軸線周りに同期回転可能とされたスリーブ部、及び、スリーブ部と同期回転し、把持部の回転により案内部に案内される被案内部が設けられ軸線方向に移動するストッパ部を有する移動体と、スリーブ部の外周に設けられ蓋体側の段部に軸線方向に離間し対向する移動体側の段部と、把持部とスリーブ部との間に挟まれスリーブを容器本体側へ付勢する弾性体と、を備え、蓋体側の段部又は移動体側の段部の何れか一方には、段部を形成する段差面に、径方向内側に行くに従い下方に傾斜する下り勾配の傾斜部が設けられ、容器本体に蓋体が装着されている際は、ストッパ部及びスリーブ部、塗布体が後退限まで引き戻されて化粧料と塗布体とが離間し、容器本体に対して蓋体が取り外し方向に回転操作されると、ストッパ部の被案内部が継ぎ具の案内部に案内されストッパ部及びスリーブ部、塗布体が容器本体側へ移動して化粧料と塗布体とが接触し、同方向の回転操作が続けられると、把持部と継ぎ具が一体となり第１、第２の螺合部の螺合作用が働いて容器本体から蓋体が取り外されると共に、弾性体によりスリーブ部が後退限とは他方向の前進限へ付勢され、蓋体側の段部又は移動体側の段部の他方と傾斜部の傾斜面とが突き当たり、塗布体が前進限となり、容器本体に対して蓋体が装着方向に回転操作されると、第１、第２の螺合部の螺合作用が働いて容器本体に蓋体が装着され、第１、第２の螺合部の螺合作用が停止すると、把持部と継ぎ具が回転可能となりストッパ部の被案内部が継ぎ具の案内部に案内されストッパ部及びスリーブ部、塗布体が後退限まで引き戻されて化粧料と塗布体とが離間することを特徴としている。
【００１１】
このような化粧料容器によれば、容器本体に蓋体が装着されている際は、化粧料と塗布体とが離間し、容器本体に対して蓋体が取り外し方向に回転操作されると、先ず、把持部と同期回転するストッパ部のその被案内部が継ぎ具の案内部に案内されると共に弾性体により付勢され、ストッパ部及びスリーブ部（移動体）、塗布体が容器本体側へ移動して化粧料と塗布体とが接触し、次いで、第１、第２の螺合部の螺合作用が働き容器本体から蓋体が取り外される。従って、特別な操作を必要とすることなく、容器本体に対する蓋体の取り外し操作に連動して塗布体に適量の化粧料を付着できる。また、容器本体に対して蓋体が装着方向に回転操作されると、先ず、第１、第２の螺合部の螺合作用が働き容器本体に蓋体が装着され、次いで、把持部と同期回転するストッパ部のその被案内部が継ぎ具の案内部に案内され、ストッパ部及びスリーブ部（移動体）、塗布体が上記とは反対方向へ移動して化粧料と塗布体とが離間する。従って、特別な操作を必要とすることなく、容器本体に対する蓋体の装着操作に連動して塗布体の潰れを防止できる。そして、蓋体は容器本体から取り外されると、移動体及び塗布体は弾性体によって蓋体装着時の位置より前進し、継ぎ具の下端側に設けられ径方向内側に張り出す蓋体側の段部に向かって、蓋体側の段部に対して上下方向に離間し対向する移動体側の段部が移動する。蓋体側の段部又は移動体側の段部の何れか一方には、段部を形成する段差面に、径方向内側に行くに従い下方に傾斜する下り勾配の傾斜部が設けられている。このため、移動体側の段部が前進すると、蓋体側の段部又は移動体側の段部の他方と傾斜部の傾斜面とが突き当たり、塗布体が前進限に達し塗布に供することができる。ここで、段部の角部と傾斜面とが突き当たる線接触は、従来技術で説明した段部同士の面接触に比して接触面積が減るため、当接音を低減できる。加えて、段部の角部が傾斜面に突き当たると、段部の角部が傾斜面に当接し鉛直方向へ向かう当接力は、傾斜面に沿う傾斜方向の力と傾斜面を垂直に押す力に分力されて当該傾斜面を垂直に押す力は小さくなり、従来技術のような段部が相手側の段部を垂直に押す場合よりも小さくなって、当接音を一層低減できる。このため、当接音を抑制できる。因みに、傾斜面は急勾配（急峻）であればあるほど、傾斜面を垂直に押す力を低減でき、当接音を一層抑制できる。
【００１２】
ここで、上記作用を好適に奏する構成としては、具体的には、傾斜部は、蓋体側の段部の段差面に設けられ、径方向内側に行くに従い下方に傾斜する下り勾配であり、前進する移動体側の段部と、傾斜部の傾斜面とが突き当たり、塗布体の前進限となる構成が挙げられる。
【００１３】
また、上記作用を好適に奏する構成としては、具体的には、傾斜部は、移動体側の段部の段差面に設けられ、径方向内側に行くに従い下方に傾斜する下り勾配であり、蓋体側の段部と、前進する傾斜部の傾斜面とが突き当たり、塗布体の前進限となる構成も挙げられる。
【００１４】
また、傾斜部は、段部の周方向に沿って複数個が離間して設けられていると、段部と傾斜面との接触箇所が複数箇所だけとなり、当接音発生箇所を低減でき、当接音を一層抑制できる。
【００１５】
また、傾斜部は、段部の周方向に沿って連なるように環状に設けられていても良い。この場合も、従来技術の段部同士の面接触に比して線接触によって接触面積が減るため、当接音を低減できる。加えて、段部が相手側の段部を垂直に押す力に比して、傾斜面を垂直に押す力を低減でき、当接音を抑制できる。
【発明の効果】
【００１６】
このように本発明によれば、塗布体が前進し前進限に達した際に生じる当接音を、低減し抑制できる化粧料容器を提供できる。
【図面の簡単な説明】
【００１７】
【図１】本発明の実施形態に係る化粧料容器の初期状態を示す縦断面図である。
【図２】塗布体が化粧料に接触している状態を示す化粧料容器の縦断面図である。
【図３】容器本体から蓋体を取り外した状態を示す縦断面図である。
【図４】図１に示す化粧料容器を上側から見た分解斜視図である。
【図５】図１に示す化粧料容器を下側から見た分解斜視図である。
【図６】継ぎ具を上方から見た斜視図である。
【図７】継ぎ具の縦断面図である。
【図８】図３のVIII部分の拡大図である。
【図９】他の実施形態に係るVIII部分を示す拡大図である。
【発明を実施するための形態】
【００１８】
以下、添付図面を参照しながら、本発明の実施形態について詳細に説明する。図１は、本発明の実施形態に係る化粧料容器の初期状態を示す縦断面図、図２は、塗布体が化粧料に接触している状態を示す化粧料容器の縦断面図、図３は、容器本体から蓋体を取り外した状態を示す縦断面図、図４及び図５は、化粧料容器を上側又は下側から見た分解斜視図、図６及び図７は、継ぎ具を示す各図、図８は、図３のVIII部分の拡大図である。
【００１９】
図１に示すように、本実施形態の化粧料容器１００は、使用者が化粧料Ｍを例えば顔等に施すときに用いられるものであり、内部に化粧料Ｍ及び塗布体３を収容し、開蓋時に塗布体３に化粧料Ｍが付着し、閉蓋時に塗布体３と化粧料Ｍが非接触状態になるものである。以下、詳細に説明する。なお、上下は図面を基準とする。
【００２０】
化粧料Ｍは、ここでは、特に好適であるとして、粉体化粧料を固めた化粧料やクリーム状の化粧料等が用いられているが、本発明に適用可能であれば化粧料の状態を限定するものではない。
【００２１】
化粧料容器１００は、化粧料Ｍを収容する容器本体１と、この容器本体１を上方から覆い容器本体１の上部に着脱可能に装着された蓋体２と、を備える。
【００２２】
容器本体１は、図１、図４及び図５に示すように、一端が閉じられた円筒状（有底円筒状）に構成され、筒壁内の下部に化粧料Ｍを収容するための収容空間を備える。この収容空間には、化粧料Ｍを収容した化粧料収容部１１が配置される。化粧料収容部１１は、有底円筒状に構成され、内部に化粧料Ｍが収容される。容器本体１の上部の筒壁には、蓋体２を装着するための螺合部（第１の螺合部）１ａが周方向に沿い軸線方向に延びるように設けられる。螺合部１ａは、ここでは、内周面に形成された雌螺子である。
【００２３】
蓋体２は、化粧料Ｍを塗布するための塗布体３を備えるものであり、蓋として機能すると共に使用者に把持されて回転操作される把持部４と、把持部４に係合し容器本体１に着脱可能に係合する継ぎ具５と、把持部４の回転に応じて蓋体２の軸線方向に移動するストッパ部７及び当該ストッパ部７と共に軸線方向に移動するスリーブ部９を有する移動体１４と、塗布体３を保持する塗布体ホルダ１３と、塗布体３及び塗布体ホルダ１３並びに移動体１４から成る塗布具１２を、容器本体１側へ付勢する弾性体８と、を備える。弾性体８は、ここでは、圧縮コイルバネとされている。
【００２４】
把持部４は、一端が閉じられた短尺な円筒状（有底円筒状）に構成され、容器本体１に向かい合うように配置される。この把持部４の筒壁の内周面には、継ぎ具５を軸線方向に係合するための凹部４ｂが円環状に設けられる。また、把持部４の底部には、容器本体１側に向かって突出する円筒状の突出部４ｘが形成され、この突出部４ｘの筒壁の外周面に、軸線方向に延びる凹溝４ｄが、スリーブ部９を回転方向に係合するためのものとして周方向に沿って複数（ここでは４個）設けられる。また、把持部４の底部には、突出部４ｘより小径で下方へ短尺に延びる弾性体ガイド４ｙが設けられる。弾性体ガイド４ｙは弾性体８の位置を決めるためのもので、弾性体８は、その上部が、弾性体ガイド４ｙを囲繞するように配置される。また、把持部４の底部の外縁側の内面には、把持部４の回転により、継ぎ具５の切欠部５ｓの端部５ｘ，５ｙに当接する突起４ｓが一対対向して設けられる。
【００２５】
継ぎ具５は、図１、図４〜図７に示すように、円筒状に構成され、その筒壁の容器本体１側に、容器本体１の螺合部１ａと螺合可能な螺合部（第２の螺合部）５ａが周方向に沿って設けられる。螺合部５ａは、ここでは、外周面に形成された雄螺子である。継ぎ具５の螺合部５ａより把持部４側の外周面には、円環状の凸部５ｂが、把持部４の凹部４ｂに軸線方向に係合するためのものとして設けられる。継ぎ具５の螺合部５ａより把持部４側の内周面には、軸線方向に螺旋を描くように傾斜するスロープが、ストッパ部７を案内するための案内部５ｄとして周方向に沿って４個が連続して設けられる。この案内部５ｄとしてのスロープは、具体的には、図４〜図７に示すように、各々が、切欠部５ｓより下方で上端側から周方向に沿って下向きに傾斜し円弧を描くようにしながら下端側へ向かうものであり、下端近傍（後述の段部５ｚ近く）まで行ったら垂直に上端側へ上がり、周方向にこれを繰り返すものである。
【００２６】
また、継ぎ具５の上端面には、対向する一対の位置に、周方向に沿って下側に向かって切り欠かれた平面視円弧状の切欠部５ｓが設けられる。この切欠部５ｓに、把持部４の突起４ｓが進入し、把持部４の回転により把持部４の突起４ｓが切欠部５ｓの一方の端部５ｘに当接したときから、一方向への把持部４と継ぎ具５の一体回転が可能となり、把持部４の逆回転により把持部４の突起４ｓが切欠部５ｓの他方の端部５ｙに当接したときが、塗布体３の後退限となる。
【００２７】
図６〜図８に示すように、継ぎ具５の下端には径方向内側に円環状に張り出す鍔状の段部５ｚが、蓋体側の段部として設けられる。蓋体側の段部５ｚには、段部を形成する段差面５ｍに傾斜部５ｐが設けられる。傾斜部５ｐは、ここでは、周方向に沿って６等配の位置に配置されている。傾斜部５ｐは、その上端が、蓋体側の段部５ｚの段差面５ｍより上方の継ぎ具５の内周面に連設されると共に、その下端が、継ぎ具５の段差面５ｍに連設され、径方向内側に行くに従い下方に傾斜する下り勾配となっている。この傾斜部５ｐの傾斜面５ｒが、スリーブ部９（移動体１４）の前進限として機能する（詳しくは後述）。
【００２８】
図１、図４及び図５に示すように、移動体１４を構成するスリーブ部９は、有底円筒状に構成され、底部９ａと、底部９ａの外周部の上面に短尺に立設された下部円筒部９ｂと、下部円筒部９ｂの上部に外周側へ拡径する段部９ｚを介して連設された上部円筒部９ｃと、を備える。図８に示すように、段部９ｚは、上部円筒部９ｃと下部円筒部９ｂとを段差面９ｍを介して縮径して繋ぐ移動体側の段部として設けられる。そして、図１に示すように、移動体側の段部９ｚの下方へ対向し離間する位置に、蓋体側の段部５ｚが配置されている。
【００２９】
底部９ａの上面中央には、円筒部９ｂ，９ｃより小径で上方へ短尺に延びる弾性体ガイド９ｙ（図１参照）が立設される。弾性体ガイド９ｙは弾性体８の位置を決めるためのものであり、把持部４の弾性体ガイド４ｙの真下に対向するように設けられ、弾性体８の下部を囲繞することで弾性体８の位置を決める。すなわち、弾性体８は、その上部が、弾性体ガイド４ｙによりガイドされると共に、その下部が、弾性体ガイド９ｙによりガイドされ、把持部４とスリーブ部９の底部９ａとの間に挟持され付勢力を蓄積する。
【００３０】
図１、図４及び図５に示すように、上部円筒部９ｃの内周面には、軸線方向に延びる突条９ｄが、把持部４の凹溝４ｄに回転方向に係合するためのものとして、周方向に沿って複数が設けられている（ここでは４個）また、下部円筒部９ｂの外周面には、塗布体ホルダ１３を固定するための半球状の突起９ｇが周方向に離間して複数個が設けられている（図４及び図５参照）。
【００３１】
移動体１４を構成するストッパ部７は、スリーブ部９の外周面に設けられた複数（ここでは４個）の被案内部７ｄである。被案内部７ｄは、継ぎ具５の案内部５ｄに係わり案内されるものであり、継ぎ具５の案内部５ｄに対応するように、周方向に沿って４等配の位置に離間配置される。それぞれの被案内部７ｄは、継ぎ具５の案内部５ｄに各々乗り、傾斜するスロープである案内部５ｄをスライドできるような傾斜形状の突起とされている。
【００３２】
図１、図４及び図５に示すように、塗布体ホルダ１３は、円板部１３ａの外周部の下面に下側円筒部１３ｂを立設すると共に、外周部の上面に上側円筒部１３ｃを立設したものである。上側円筒部１３ｃの内周面には、スリーブ部９の半球状の突起９ｇを軸線方向に係合するための凹部１３ｇが円環状に設けられ、下側円筒部１３ｂの内周面は、塗布体３を保持する部分となる。
【００３３】
塗布具１２を構成する塗布体３は、略円柱形状を成し、例えば、発泡ウレタン、ＮＢＲ等の多孔質材の弾性体で構成され、この多孔質材の弾性体である例えばスポンジやパフ等の片面に植毛を施したものとされる。そして、塗布体ホルダ１３は、上下を逆に配置した状態で、その下側円筒部１３ｂに、塗布体３が進入し密着保持される。
【００３４】
次いで、把持部４の上下を逆に配置した状態で、弾性体８の一端側を把持部４の底部の弾性体ガイド４ｙ周りに囲繞配置し、この状態で、塗布体３を保持した塗布体ホルダ１３のその凹部１３ｇを、スリーブ部９の突起９ｇに軸線方向に係合し、次いで、スリーブ部９を、その突条９ｄと把持部４の凹溝４ｄ同士が合わさるようにして、把持部４に軸線周りに同期回転可能且つ軸線方向に移動可能に装着する。このとき、弾性体８の他端側は、スリーブ部９の弾性体ガイド９ｙ周りに囲繞配置される。そして、継ぎ具５を、把持部４の筒壁に内挿すると共にスリーブ部９及びストッパ部７から成る移動体１４に外挿し、継ぎ具５の凸部５ｂを把持部４の凹部４ｂに軸線方向に係合することにより、把持部４に軸線方向に移動不能且つ軸線周りに回転可能に装着する。
【００３５】
このとき、弾性体８により、塗布具１２（塗布体３、塗布体ホルダ１３、スリーブ部９及びストッパ部７より成る移動体１４）は、容器本体１側へ付勢され、ストッパ部７を構成する被案内部７ｄが、継ぎ具５の案内部５ｄに当接すると共にスライド可能となっている。この状態で、弾性体８は、把持部４の底部とスリーブ部９の底部９ａとの間で付勢力を蓄えた状態となる。
【００３６】
次に、このような構成を有する化粧料容器１００の作用について説明する。先ず、図１に示すように、蓋体２が容器本体１に装着されている場合には、塗布体３、スリーブ部９及びストッパ部７より成る移動体１４は後退限（引き戻し限）まで引き戻された状態で化粧料Ｍと塗布体３とが離間し、化粧料Ｍと塗布体３との間には空間Ｓが設けられ、当該化粧料Ｍと塗布体３とは非接触の状態にある。このとき、前述したように、移動体側の段部９ｚの下方に蓋体側の段部５ｚが離間し対向配置されている。
【００３７】
この状態から使用する場合、使用者は蓋体２を取り外すべく容器本体１と蓋体２を持って蓋体２を取り外し方向（緩める方向；螺合解除方向）に回転操作する。すると、容器本体１の螺合部１ａに対して蓋体２の継ぎ具５の螺合部５ａが螺合限まで締め込まれているため、容器本体１及び継ぎ具５が一体となり、継ぎ具５に対して把持部４が回転し、把持部４と共に、スリーブ部９及びストッパ部７より成る移動体１４が回転し、ストッパ部７を構成する被案内部７ｄが継ぎ具５の案内部５ｄに案内され回転しながら容器本体１側へ移動する。
【００３８】
このとき、スリーブ部９は、弾性体８の付勢力により容器本体１側へ付勢されているため、塗布具１２（塗布体３、塗布体ホルダ１３、スリーブ部９及びストッパ部７より成る移動体１４）は円滑に移動する。その後、図２に示すように、塗布体３は化粧料Ｍに接触し、それ以上の移動が阻止される。
【００３９】
そして、このように塗布体３と化粧料Ｍが当接しそれ以上の前進が阻止されると、把持部４の突起４ｓ（図５参照）が切欠部５ｓの一方の端部５ｘ（図５及び図６参照）に当接し、把持部４と継ぎ具５が一体となり（同方向への同期回転が可能となり）、これに続く取り外し方向へのさらなる回転操作により、容器本体１の螺合部１ａと継ぎ具５の螺合部５ａの螺合作用が働いて、図３に示すように、容器本体１から蓋体２が取り外される。
【００４０】
すると、化粧料Ｍと塗布体３との接触により容器本体１側へのそれ以上の移動が阻止されていた塗布体３、塗布体ホルダ１３、スリーブ部９及びストッパ部７より成る移動体１４は、弾性体８の付勢力により、前方へ向かって押し出され、使用に最適な位置である前進限（押し出し限）へと押し出されていく。
【００４１】
このとき、移動体側の段部９ｚが、蓋体側の段部５ｚに向かって前進移動し、図８に示すように、移動体側の段部９ｚ、詳しくは段部９ｚの角部（縁部）９ｔと傾斜部５ｐの傾斜面５ｒとが突き当たり、塗布具１２の塗布体３は前進限に達し、塗布に供することができる。
【００４２】
ここで、段部９ｚの角部９ｔと傾斜面５ｒとが突き当たる線接触は、従来技術で説明した段部同士の面接触に比して接触面積が減るため、当接音を低減できる。加えて、段部９ｚの角部９ｔが傾斜面５ｒに突き当たると、段部９ｚの角部９ｔが傾斜面５ｒに当接し鉛直方向へ向かう当接力は、傾斜面５ｒに沿う傾斜方向の力と傾斜面５ｒを垂直に押す力に分力されて当該傾斜面５ｒを垂直に押す力は小さくなり、従来技術のような段部が相手側の段部を垂直に押す場合よりも小さくなって、当接音を一層低減できる。このため、当接音を抑制できる。
【００４３】
そして、使用に際しては、使用者は蓋体２を持って塗布体３を使用者の例えば顔等に軽く叩くように押し当て、塗布体３に適量が付着した化粧料Ｍを塗布に供することになるが、この塗布の最中に、塗布体３及びスリーブ部９は、弾性体８の付勢力に抗して前進限から一旦後退し、直ぐに弾性体８の付勢力により前進限へ押し戻され、使用中は、塗布体３の後退／前進が繰り返される。ここで、塗布体３が前進限に達しても、前述のように、段部９ｚの角部９ｔが傾斜面５ｒに突き当たるため、例えば顔等に軽く叩く塗布動作を繰り返しても、当接音を抑制できることになる。
【００４４】
また、本実施形態によれば、図６に示すように、傾斜部５ｐは、段部５ｚの周方向に沿って複数個（ここでは６個）が離間して設けられているため、段部９ｚと傾斜面５ｒとの接触箇所が数箇所だけとなり、当接音発生箇所を低減でき、当接音を一層抑制できる。
【００４５】
使用が終わると、使用者は蓋体２を装着すべく容器本体１と蓋体２を持って蓋体２を装着方向（締める方向；螺合方向）に回転操作する。すると、容器本体１の螺合部１ａに対して蓋体２の継ぎ具５の螺合部５ａが螺合していき螺合限まで締め込まれることで、容器本体１の螺合部１ａと継ぎ具５の螺合部５ａの螺合作用が停止し、容器本体１に対して蓋体２が装着されると共に、容器本体１及び継ぎ具５が一体となり、これに続く装着方向へのさらなる回転操作により、継ぎ具５に対して把持部４が回転し、把持部４と共に、スリーブ部９及びストッパ部７が回転し、ストッパ部７を構成する被案内部７ｄが継ぎ具５の案内部５ｄに案内され回転しながら上記とは反対方向である把持部４の底部側へ移動し、把持部４の突起４ｓが切欠部５ｓの他方の端部５ｙに当接する後退限まで引き戻される。そして、化粧料Ｍと塗布体３とが離間する状態となる（図１参照）。
【００４６】
なお、上記実施形態においては、ストッパ部７とスリーブ部９が一体化されて移動体１４とされているが、ストッパ部を、被案内部７ｄを外周面に備えた軸線方向に短尺な円筒状部材とし、スリーブ部を、ストッパ部に内挿され当該ストッパ部に対して同期回転可能とし、ストッパ部の被案内部７ｄを、弾性体８により、スリーブ部の外周面に設けた鍔部と、継ぎ具５の案内部５ｄとの間に挟持するような構成としても良い。また、スリーブ部９が、塗布体ホルダ１３を兼ねても勿論良い。
【００４７】
図９は、他の実施形態に係るVIII部分を示す拡大図である。
【００４８】
ここでは、傾斜部９ｐは、蓋体側の段部５ｚには設けられておらず、移動体１４を構成するスリーブ部９の段部９ｚに設けられている。具体的には、傾斜部９ｐは、段部９ｚの段差面９ｍに設けられ、ここでは、周方向に沿って６等配の位置に配置されている。傾斜部９ｐは、その上端が、段差面９ｍに連設されると共に、その下端が、スリーブ部９の下部円筒部９ｂの外周面に連設され、径方向内側に行くに従い下方に傾斜する下り勾配となっている。この傾斜部９ｐの傾斜面９ｒが、スリーブ部９（移動体１４）の前進限として機能する。
【００４９】
このような構成によれば、移動体側の段部９ｚが、蓋体側の段部５ｚに向かって前進移動し、図９に示すように、蓋体側の段部５ｚ、詳しくは段部５ｚの角部（縁部）５ｔと傾斜部９ｐの傾斜面９ｒとが突き当たることにより、塗布具１２の塗布体３は前進限に達し、塗布に供することができる。
【００５０】
このような実施形態にあっても、上記実施形態と同様に、段部５ｚの角部５ｔと傾斜面９ｒとが突き当たる線接触により、従来技術の段部同士の面接触に比して、当接音を低減できる。加えて、段部５ｚの角部５ｔが傾斜面９ｒに当接し鉛直方向へ向かう当接力は、傾斜面９ｒに沿う傾斜方向の力と傾斜面９ｒを垂直に押す力に分力されて当該傾斜面９ｒを垂直に押す力は小さくなり、当接音を一層低減・抑制できる。
【００５１】
なお、上記実施形態においては、傾斜部５ｐ，９ｐは、段部５ｚ，９ｚの周方向に沿って連なるように環状に設けられていても良い。この場合も、従来技術の段部同士の面接触に比して線接触によって接触面積が減るため、当接音を低減できる。加えて、段部が相手側の段部を垂直に押す力に比して、傾斜面を垂直に押す力を低減でき、当接音を抑制できる。
【００５２】
因みに、傾斜面５ｒ，９ｒは急勾配（急峻）であればあるほど、傾斜面５ｒ，９ｒを垂直に押す力を低減でき、当接音を一層抑制できる。
【００５３】
以上、本発明をその実施形態に基づき具体的に説明したが、本発明は上記実施形態に限定されるものではなく、例えば、以下の簡易な構成の化粧料容器に対しても適用できる。すなわち、内部に化粧料を備えた容器本体と、容器本体の上部に着脱可能に装着された蓋体と、化粧料を塗布するための塗布体と、塗布体を保持すると共に蓋体に対して上下方向に移動可能に支持された移動体と、蓋体と移動体との間に挟まれ移動体を容器本体側へ付勢する弾性体と、を備え、蓋体は、その下端側に設けられ径方向内側に張り出す蓋体側の段部を有し、移動体は、蓋体側の段部に上下方向に離間し対向する移動体側の段部を有する化粧料容器に対しても適用可能である。すなわち、容器本体に蓋体が装着されている状態では、弾性体により塗布体及び移動体が容器本体側へ付勢され、塗布体が化粧料に当接し当該塗布体に化粧料が付着した状態になっており、蓋体が容器本体から取り外されると、塗布体及び移動体が弾性体により前進限までさらに前進し塗布に供し得るタイプの化粧料容器に対しても適用可能できる。この場合にも、蓋体側の下端側の段部又は、当該段部に対応する移動体側の段部の何れか一方に対し、段部を形成する段差面において、径方向内側に行くに従い下方に傾斜する下り勾配の傾斜部を設け（図８又は図９参照）、容器本体から蓋体が取り外されると、塗布体及び移動体が弾性体により蓋体装着時の位置より前進し、蓋体側の段部又は移動体側の段部の他方と傾斜部の傾斜面とが突き当たり、塗布体の前進限となる構成であれば良い。
【００５４】
このような簡易な構成の化粧料容器にあっても、上記実施形態と同様な作用・効果を奏するのはいうまでもなく、塗布体が前進し前進限に達した際に生じる当接音を、低減し抑制できる。なお、上記実施形態と同様に、傾斜部は、段部の周方向に沿って複数個が離間して設けられていても、段部の周方向に沿って連なっていても良い。
【００５５】
また、例えば、上記実施形態においては、特に好ましいとして、弾性体８をコイルバネとしているが、複数枚の板バネを積層したものでも良く、また、樹脂バネ等であっても良い。
【００５６】
また、蓋体２と容器本体１との着脱は、螺合に限定されるものではなく、押し込み／引き抜き式であっても良い。
【符号の説明】
【００５７】
１…容器本体、１ａ…第１の螺合部、２…蓋体、３…塗布体、４…把持部、５…継ぎ具、５ａ…第２の螺合部、５ｄ…案内部、５ｍ，９ｍ…段差面、５ｐ，９ｐ…傾斜部、５ｒ，９ｒ…傾斜面、５ｚ…蓋体側の段部、７…ストッパ部、７ｄ…被案内部、８…弾性体、９…スリーブ部、９ｚ…移動体側の段部、１２…塗布具、１３…塗布体ホルダ、１４…移動体、１００…化粧料容器、Ｍ…化粧料。
【図１】
2019037625.tif 000003
【図２】
2019037625.tif 000004
【図３】
2019037625.tif 000005
【図４】
2019037625.tif 000006
【図５】
2019037625.tif 000007
【図６】
2019037625.tif 000008
【図７】
2019037625.tif 000009
【図８】
2019037625.tif 000010
【図９】
2019037625.tif 000011